(57)【要約】【課題】寝台装置本体の外周縁部が、仮に寝台装置の周囲にある部材に衝突することがあっても、発生する衝撃力を抑えることができる寝台装置を提供する。【解決手段】寝台装置本体１７と、前記寝台装置本体の外周縁部に立設されたボード１４と、前記寝台装置本体の横部材端部に設けられたオプション受け３９と、を備え、前記ボードは、上面視で前記寝台装置本体側に両端が曲がり、前記オプション受けは、上面視で前記ボードの両端の寝台装置本体の外側にある。【選択図】図１
2020022840.tif 000002
【特許請求の範囲】
【請求項１】
寝台装置本体と、
前記寝台装置本体の外周縁部に立設されたボードと、
前記寝台装置本体の横部材端部に設けられたオプション受けと、
を備え、
前記ボードは、上面視で前記寝台装置本体側に両端が曲がり、
前記オプション受けは、上面視で前記ボードの両端の寝台装置本体の外側にある
ことを特徴とする寝台装置。
【請求項２】
前記寝台装置本体の外周縁部に設けられた柵を備え、
前記オプション受けは、上面視で前記柵よりも寝台装置本体の外側にある
ことを特徴とする、請求項１に記載の寝台装置。
【請求項３】
前記寝台装置本体は、
左右方向に間隔をあけて前後方向に延びる一対の長手フレームと、
一対の前記長手フレーム同士を接続し、左右方向に延びる一対の短手フレームと、
前記オプション受けに配設された緩衝装置と、を備え、  
前記緩衝装置は、前記長手フレーム及び前記短手フレームのうち、少なくとも１つにおける端部に設けられ、
上下方向に延びる軸部材と、
前記軸部材から径方向に突出する突出部材と、
前記軸部材に外嵌され、かつ前記突出部材上に載置された緩衝部材と、を備える
ことを特徴とする請求項１又は２に記載の寝台装置
【請求項４】
前記軸部材は、寝台用オプションを内部に挿入可能な筒状に形成され、
前記突出部材の一部は、前記軸部材内に配置され、前記寝台用オプションを支持可能であることを特徴とする請求項１から３のいずれかに記載の寝台装置。
【請求項５】
前記短手フレームは、
前記寝台装置本体における前後方向の内側に向けて突出し、かつ前記長手フレームに前後動自在に連結された左右一対の延長フレームと、
一対の前記延長フレーム同士の間に位置し、前記寝台装置本体における前後方向の内側に向けて突出する補助フレームと、を備えていることを特徴とする請求項４に記載の寝台装置。
【請求項６】
前記寝台装置は、前記寝台装置本体の外周縁部に立設された壁状部材を備え、
前記寝台装置本体及び前記壁状部材のうちのいずれか一方には、取付け孔が形成されるとともに、他方には前記取付け孔に装着される取付け突部が形成され、
前記取付け孔は、前記寝台装置本体と、前記寝台装置本体に固定された板材と、の間に形成されていることを特徴とする請求項１から５のいずれか１項に記載の寝台装置。
【請求項７】
前記寝台装置は、前記寝台装置本体の外周縁部に立設された壁状部材を備え、
前記寝台装置本体及び前記壁状部材のうちのいずれか一方には、上面視において前記寝台装置本体の外周縁部が延びる周方向に間隔をあけて配設された一対の取付け孔が形成されるとともに、他方には一対の前記取付け孔に各別に装着される一対の取付け突部が形成され、一対の前記取付け孔それぞれにおける前記周方向の大きさが互いに異なっていることを特徴とする請求項１から６のいずれか１項に記載の寝台装置。
【請求項８】
前記寝台装置は、前記寝台装置本体の外周縁部に立設された壁状部材を備え、
前記寝台装置本体の外周縁部は、枠状に形成され、
前記壁状部材の下端部には、前記寝台装置本体の外周縁部から上方に離間する逃げ部が形成され、
前記寝台装置本体の外周縁部のうち、前記逃げ部の直下に位置する部分の外面は、他の部材と非接触となっていることを特徴とする請求項１から７のいずれか１項に記載の寝台装置。
【発明の詳細な説明】
【技術分野】
【０００１】
本発明は、寝台装置に関する。
【背景技術】
【０００２】
従来、例えば下記特許文献１に示されるように、寝台装置本体を備える寝台装置が知られている。
【先行技術文献】
【特許文献】
【０００３】
【特許文献１】特開２００６−１３６６６８号公報
【発明の概要】
【発明が解決しようとする課題】
【０００４】
しかしながら、前記従来の寝台装置では、例えば移動自在な寝台装置本体を動かすことで寝台装置を移動させる際に、寝台装置本体の外周縁部が、例えば部屋や廊下の壁面や、出入口の扉等に衝突することがあり、これにより寝台装置本体が損傷したり、寝台装置の周囲にある部材を損傷させたりするおそれがあった。
【０００５】
本発明は前述した事情に鑑みてなされたものであって、寝台装置本体の外周縁部が、仮に寝台装置の周囲にある部材に衝突することがあっても、発生する衝撃力を抑えることができる寝台装置を提供することを目的とする。
【課題を解決するための手段】
【０００６】
前記課題を解決するために、本発明は以下の手段を提案している。
（１）寝台装置本体と、前記寝台装置本体の外周縁部に立設されたボードと、前記寝台装置本体の横部材端部に設けられたオプション受けと、を備え、前記ボードは、上面視で前記寝台装置本体側に両端が曲がり、前記オプション受けは、上面視で前記ボードの両端の寝台装置本体の外側にあることを特徴とする。
【０００７】
この発明によれば、寝台装置本体の外周縁部に立設されたボードの両端の寝台装置本体の外側にオプション受けが設けられているので、例えば、寝台用オプションを上面視で前記ボードの両端の寝台装置本体の外側に取り付けることができることができる。
【０００８】
（２）上記（１）に係る寝台装置であって、寝台装置本体の外周縁部に設けられた柵を備え、前記オプション受けは、上面視で前記柵よりも寝台装置本体の外側にあってもよい。
【０００９】
（３）上記（１）又は（２）に係る寝台装置であって、前記寝台装置本体は、左右方向に間隔をあけて前後方向に延びる一対の長手フレームと、一対の前記長手フレーム同士を接続し、左右方向に延びる一対の短手フレームと、前記オプション受けに配設された緩衝装置と、を備え、前記緩衝装置は、前記長手フレーム及び前記短手フレームのうち、少なくとも１つにおける端部に設けられ、上下方向に延びる軸部材と、前記軸部材から径方向に突出する突出部材と、前記軸部材に外嵌され、かつ前記突出部材上に載置された緩衝部材とを備えていても良い。。
この場合、緩衝装置が、長手フレーム及び短手フレームのうち、少なくとも１つにおける端部に設けられているので、寝台装置本体の構造を簡素化することができる。
【００１０】
（４）上記（１）から（３）のいずれかに係る寝台装置であって、前記軸部材は、寝台用オプションを内部に挿入可能な筒状に形成され、前記突出部材の一部は、前記軸部材内に配置され、前記寝台用オプションを支持可能であってもよい。
この場合、軸部材が、寝台用オプションを内部に挿入可能な筒状に形成されているので、緩衝装置が、オプション受けを兼ねることができる。また、突出部材の一部が、寝台用オプションを支持可能であるので、緩衝装置をオプション受けと兼用しつつ、部品点数の増加を抑えることができる。
【００１１】
（５）上記（４）に係る寝台装置であって、前記短手フレームは、前記寝台装置本体における前後方向の内側に向けて突出し、かつ前記長手フレームに前後動自在に連結された左右一対の延長フレームと、一対の前記延長フレーム同士の間に位置し、前記寝台装置本体における前後方向の内側に向けて突出する補助フレームと、を備えていてもよい。
【００１２】
この場合、短手フレームを長手フレームに対して、寝台装置本体における前後方向の外側に向けて移動させると、左右一対の延長フレームと、一対の延長フレーム同士の間に位置する補助フレームと、が、短手フレームから長手フレームに向けて、前後方向の内側に向けて突出した状態となる。このため、寝台装置の使用者の身長に合わせて、寝台装置本体を前後方向に延長することができる。また、補助フレームにより、一対の延長フレーム上に敷かれた延長用マットレスの左右方向の中間部を補助的に支持することができる。これにより、簡易な構成により寝台装置を前後方向に延長することができる。
【００１３】
（６）上記（１）から（５）のいずれか１つに係る寝台装置であって、前記寝台装置は、前記寝台装置本体の外周縁部に立設された壁状部材を備え、前記寝台装置本体及び前記壁状部材のうちのいずれか一方には、取付け孔が形成されるとともに、他方には前記取付け孔に装着される取付け突部が形成され、前記取付け孔は、前記寝台装置本体と、前記寝台装置本体に固定された板材と、の間に形成されていてもよい。
【００１４】
この場合、取付け孔が、寝台装置本体と板材との間に形成されている。したがって、単に板材の形状や大きさを変更することで、取付け孔の形状や大きさを変更することが可能になり、取付け孔を容易に加工することができる。これにより、寝台装置本体又は壁状部材の製造コストを抑えることができる。
【００１５】
（７）上記（１）から（６）のいずれか１つに係る寝台装置であって、前記寝台装置は、前記寝台装置本体の外周縁部に立設された壁状部材を備え、前記寝台装置本体及び前記壁状部材のうちのいずれか一方には、上面視において前記寝台装置本体の外周縁部が延びる周方向に間隔をあけて配設された一対の取付け孔が形成されるとともに、他方には一対の前記取付け孔に各別に装着される一対の取付け突部が配設され、一対の前記取付け孔それぞれにおける前記周方向の大きさが互いに異なっていてもよい。
【００１６】
この場合、寝台装置本体及び壁状部材のうちのいずれか一方に、寝台装置本体の外周縁部が延びる周方向に間隔をあけて配設された一対の取付け孔が、前記周方向の大きさを互いに異ならせて形成されているので、寝台装置本体及び壁状部材のうちのいずれか他方に配設された一対の取付け突部の前記周方向におけるピッチ寸法等の誤差を、一対の取付け孔それぞれの周方向の大きさの違いにより吸収することができる。これにより、容易に取付け突部を取付け孔に取付けることができる。
【００１７】
（８）上記（１）から（７）のいずれか１つに係る寝台装置であって、前記寝台装置は、前記寝台装置本体の外周縁部に立設された壁状部材を備え、前記寝台装置本体の外周縁部は、枠状に形成され、前記壁状部材の下端部には、前記寝台装置本体の外周縁部から上方に離間する逃げ部が形成され、前記寝台装置本体の外周縁部のうち、前記逃げ部の直下に位置する部分の外面は、他の部材と非接触となっていてもよい。
【００１８】
この場合、枠状に形成された寝台装置本体の外周縁部のうち、壁状部材の下端部に形成された逃げ部の直下に位置する部分の外周面が、他の部材と非接触となっているので、この外周面に、例えば寝台装置とともに使用される電気機器の配線等のケーブルを巻きつけることで、寝台装置本体の外周縁部に前記ケーブルを収納することができる。これにより、寝台装置の見映えを良くすることができるとともに、前記ケーブルの収納部を別途設ける必要も無い。
【発明の効果】
【００１９】
本発明によれば、寝台装置本体の外周縁部が、仮に寝台装置の周囲にある部材に衝突することがあっても、発生する衝撃力を抑えることができる。
【図面の簡単な説明】
【００２０】
【図１】本発明の一実施形態に係る寝台装置の斜視図である。
【図２】図１に示す寝台装置の側面図である。
【図３】図１に示す寝台装置の上面図である。
【図４】図１に示す寝台装置の下面図である。
【図５】図２に示す寝台装置において寝台を上昇させた状態を示す側面図である。
【図６】図１に示す寝台装置において背ボトム及び脚ボトムを回動させた状態を示す斜視図である。
【図７】図１に示す寝台装置のメインフレームの斜視図である。
【図８】図１に示す寝台装置の緩衝装置の縦断面図である。
【図９】図１に示す寝台装置の取付け孔の周辺を示す斜視図である。
【図１０】図９に示す取付け孔の上面図である。
【図１１】図１に示す寝台装置の短手フレームに壁状部材を立設した状態を示す斜視図である。
【図１２】図１に示す寝台装置の延長フレームを示す斜視図である。
【図１３】図１に示す寝台装置の延長フレーム上に延長用マットレスを敷いた状態の斜視図である。
【発明を実施するための形態】
【００２１】
本発明の一実施形態に係る寝台装置１０を、図１から図１３に基づいて以下に説明する。
寝台装置１０は、例えば、医療環境下（介護環境下を含む）において、一般床ベッドやＩＣＵベッド等として利用することができる。図１から図１３において、矢印Ｈは人（使用者）が寝る際に頭側Ｈとなる向きを示し、また矢印Ｆは人が寝る際に足側Ｆとなる向きを示している。以下の説明においては、矢印Ｈ、Ｆの方向である前後方向に対して直交する水平方向を左右方向と言う場合が有る。前後方向及び左右方向は、いずれも水平方向に沿う方向であるとともに、互いに直交する方向である。
【００２２】
図１から図６に示すように、寝台装置１０は、寝台装置本体１７と、寝台装置本体１７の外周縁部に複数立設された壁状部材１８と、を備えている。寝台装置本体１７は、寝台１１と、支持架台１２と、寝台用オプション１５と、駆動機構１６と、を備え、壁状部材１８は、柵体１３と、ボード１４と、を備えている。寝台装置１０は、電力を動力源とするいわゆる電動ベッドである。
寝台１１は、上面視した場合に左右方向よりも前後方向に長い。寝台１１の長手方向は前後方向とされ、寝台１１の短手方向は左右方向となっている。寝台１１上には、図１３に示すようにマットレス８０が配置される。寝台１１には、マットレス８０を介して使用者が横たわる。
【００２３】
寝台１１は、背ボトム２１と、腰ボトム２２と、脚ボトム２３と、を備えている。これらの背ボトム２１、腰ボトム２２及び脚ボトム２３は、頭側Ｈから足側Ｆに向けてこの順に並んでいる。背ボトム２１は、使用者の背を支える。腰ボトム２２は、使用者の腰を支える。脚ボトム２３は、使用者の脚を支える。
脚ボトム２３は、膝ボトム２４と、足ボトム２５と、を備えている。これらの膝ボトム２４及び足ボトム２５は、頭側Ｈから足側Ｆに向けてこの順に並んでいる。膝ボトム２４は、使用者の膝から腰を支える。足ボトム２５は、使用者の膝から足先を支える。
【００２４】
支持架台１２は、寝台１１を支持する。支持架台１２は、寝台１１、及び寝台１１上の使用者それぞれの荷重を受け止める。図２及び図４に示すように、支持架台１２は、ベースフレーム３１と、メインフレーム３２と、昇降機構３３と、を備えている。
ベースフレーム３１は、接地面に接地される。ベースフレーム３１は、平面視において矩形状をなす。ベースフレーム３１は、前後方向に延びる第１縦部材３４と、左右方向に延びる第１横部材３５と、接地面に接地する接地部３６と、を備えている。
【００２５】
第１縦部材３４は、左右方向に間隔をあけて一対設けられている。
第１横部材３５は、左右一対の第１縦部材３４間に架設されている。第１横部材３５は、左右一対の第１縦部材３４を左右方向に連結している。第１横部材３５は、前後方向に間隔をあけて一対設けられている。第１横部材３５は、第１縦部材３４に移動不能に固定されている。第１横部材３５は、第１縦部材３４に溶接（固着）されている。
【００２６】
接地部３６は、第１縦部材３４の前後方向の端部に設けられている。第１縦部材３４の前後方向の端部は、第１横部材３５よりも前後方向の外側に突出している。なお図示の例では、接地部３６として、キャスターを採用することで寝台装置本体１７を移動自在としているが、キャスターに代えてゴムカバーを採用することも可能である。
【００２７】
メインフレーム３２は、寝台１１を支持する。メインフレーム３２は、平面視において矩形状をなす。メインフレーム３２は、前後方向に延びる第２縦部材（長手フレーム）３７と、左右方向に延びる第２横部材（短手フレーム）３８と、寝台用オプション１５を取り付けるオプション受け３９と、を備えている。
【００２８】
第２縦部材３７は、左右方向に間隔をあけて一対設けられている。
第２横部材３８は、左右一対の第２縦部材３７を左右方向に連結している。第２横部材３８は、前後方向に間隔をあけて一対設けられている。第２横部材３８は、第２縦部材３７に移動不能に固定されている。第２横部材３８は、第２縦部材３７に溶接（固着）されている。第２横部材３８の左右方向の端部は、第２縦部材３７よりも左右方向に突出している。
オプション受け３９は、第２横部材３８の左右方向の端部に設けられている。
【００２９】
図４及び図５に示すように、昇降機構３３は、メインフレーム３２をベースフレーム３１に対して昇降自在に連結する。昇降機構３３は、前後一対の昇降ユニット４０を備えている。一対の昇降ユニット４０は、腰ボトム２２を前後方向に挟むように配置されている。各昇降ユニット４０は、左右一対のリンク機構４１と、左右一対のリンク機構４１を連結する連結部材４２と、を備えている。前後一対の昇降ユニット４０が並行に作動することで、昇降機構３３が寝台１１を昇降させる。
【００３０】
図１及び図６に示すように、支持架台１２は、背ボトム２１及び脚ボトム２３（可動ボトム）を、左右方向に延びる回動軸２６回りに回動自在に支持している。寝台装置１０は、いわゆるギャッチベッドとなっている。本実施形態では、腰ボトム２２が支持架台１２に固定され、背ボトム２１及び脚ボトム２３が、回動軸２６を介して腰ボトム２２に回動自在に連結されている。
【００３１】
回動軸２６は、背ボトム２１と腰ボトム２２とを連結する第１回動軸２６ａと、脚ボトム２３と腰ボトム２２とを連結する第２回動軸２６ｂと、を備えている。
なお、膝ボトム２４と足ボトム２５とは、左右方向に延びる屈曲軸２７回りに回動自在に連結されている。そのため、脚ボトム２３が第２回動軸２６ｂ回りに回動すると、屈曲軸２７が頂点をなすように、脚ボトム２３が上方に向けて屈曲する。
【００３２】
ボード１４は、寝台装置本体１７の外周縁部であって、支持架台１２における前後方向の端部に、寝台装置本体１７の外周縁部に沿って延びるように立設されている。ボード１４は、表裏面が前後方向を向く板状に形成されている。ボード１４は、支持架台１２に着脱自在に装着されている。ボード１４は、頭側Ｈに位置するヘッドボード１４ａと、足側Ｆに位置するフットボード１４ｂと、を備えている。図示の例ではボード１４は、第２横部材３８に取付けられており、ボード１４の左右方向の端部は、オプション受け３９よりも左右方向の内側に位置している。
【００３３】
柵体１３は、寝台装置本体１７の外周縁部であって、支持架台１２における左右方向の端部に、寝台装置本体１７の外周縁部に沿って延びるように配置されている。本実施形態では、柵体１３は、支持架台１２に対して左右方向の両側に配置されている。柵体１３は、前後方向に間隔をあけて一対、設けられている。柵体１３は、支持架台１２に昇降自在に連結されている。
【００３４】
柵体１３は、前後方向に沿う頭側Ｈに偏って配置されている。寝台装置１０を左右方向から見た側面視において、柵体１３は、ヘッドボード１４ａに対して近接し、フットボード１４ｂに対して離間している。
寝台用オプション１５は、オプション受け３９に着脱自在に装着されている。本実施形態では、寝台用オプション１５としてスペーサ１５ａが備えられている。スペーサ１５ａは、複数の壁状部材１８間の隙間を埋める補助柵であり、前記側面視における柵体１３とフットボード１４ｂとの間の空間を塞いでいる。
【００３５】
図４に示すように、駆動機構１６は、支持架台１２に取り付けられる。駆動機構１６は、複数設けられている。複数の駆動機構１６は、寝台１１の下方に配置されている。駆動機構１６は、寝台１１及び支持架台１２のうちの少なくとも一部である可動部を移動させる。駆動機構１６は、前後方向に伸縮する直動アクチュエータとされ、前後方向に伸縮することで前記可動部を移動させる。
【００３６】
駆動機構１６は、可動部としての寝台１１を昇降させる昇降駆動機構５１と、可動部としての背ボトム２１または脚ボトム２３（可動ボトム）を回動させる回動駆動機構５２と、を備えている。
昇降駆動機構５１は、昇降機構３３に駆動力を伝達してメインフレーム３２をベースフレーム３１に対して昇降させる。昇降駆動機構５１は、複数設けられている。昇降駆動機構５１は、前後方向に一対設けられている。一対の昇降駆動機構５１は、寝台１１における左右方向の中央部に配置されている。
【００３７】
各昇降駆動機構５１の前後方向の両端部は、メインフレーム３２と、昇降ユニット４０と、にそれぞれ取り付けられている。頭側Ｈの昇降駆動機構５１では、頭側Ｈの端部が、頭側Ｈの昇降ユニット４０に取り付けられ、足側Ｆの端部が、メインフレーム３２に取り付けられている。足側Ｆの昇降駆動機構５１では、足側Ｆの端部が、足側Ｆの昇降ユニット４０に取り付けられ、頭側Ｈの端部が、メインフレーム３２に取り付けられている。
【００３８】
回動駆動機構５２は、背ボトム２１を回動させる第１駆動機構５３と、脚ボトム２３を回動させる第２駆動機構５４と、を備えている。第１駆動機構５３及び第２駆動機構５４は、昇降駆動機構５１を左右方向に挟むように配置されている。各回動駆動機構５２の前後方向の両端部は、支持架台１２と、背ボトム２１または脚ボトム２３と、にそれぞれ取り付けられている。
【００３９】
そして本実施形態では、寝台装置本体１７の外周縁部に緩衝装置５５が配設されている。緩衝装置５５は、支持架台１２のメインフレーム３２に、少なくとも１つ設けられている。
緩衝装置５５は、寝台装置本体１７のうち、前後方向及び左右方向の両方向における最も外側に位置するように配設されている。図示の例では、図７に示すように、緩衝装置５５は第２横部材３８の左右方向の両端部に配設され、第２横部材３８の外表面のうち、左右方向を向く両端縁に接続されている。
なお、緩衝装置５５は、第２縦部材３７の上下方向の端部に接続されていてもよい。
【００４０】
図７に示すように、緩衝装置５５は、オプション受け３９を兼ねている。
図８に示すように、緩衝装置５５は、上下方向に延びる軸部材５５ａと、軸部材５５ａを径方向に突出するように挿入された突出部材５５ｂと、軸部材５５ａに外嵌され、突出部材５５ｂ上に載置された緩衝部材５５ｃと、を備えている。
軸部材５５ａは、寝台用オプション１５を内部に挿入可能な筒状に形成され、突出部材５５ｂの一部は、軸部材５５ａ内に配置され、寝台用オプション１５を支持可能となっている。
【００４１】
軸部材５５ａは上方に向けて開口している。軸部材５５ａの外周面のうちの一部が、第２横部材３８の前記両端縁に溶接（固着）されている。軸部材５５ａの下端部には、突出部材５５ｂが挿入される貫通孔が形成されている。軸部材５５ａの上端開口から、寝台用オプション１５を軸部材５５ａの内部に挿入することにより、オプション受け３９に寝台用オプション１５を取付けることができる。
【００４２】
この際、突出部材５５ｂと寝台用オプション１５の下端部に形成された溝部が係合することで、突出部材５５ｂは寝台用オプション１５が軸部材５５ａの中心軸線Ｏ回りに回転するのを規制することができる。
図示の例では、突出部材５５ｂは全長にわたって外径が同等となっているピン形状となっている。なお、このピン形状に代えて、例えば、頭付きボルトにナットを螺着した構成を採用することによって、突出部材５５ｂの軸部材５５ａに対する位置を決めるようにしてもよい。
【００４３】
緩衝部材５５ｃは、軸方向の大きさよりも外径が大きい偏平な筒状に形成されている。緩衝部材５５ｃの内径は、下端部の内径が他の部分よりも拡径されるとともに、下端部の内周面は、下方に向かうに従い漸次、径方向の外側に向けて延びるテーパ状に形成されている。緩衝部材５５ｃの外周面は、上下方向の内側に向かうに従い漸次、径方向の外側に延び、径方向の外側に向けて凸となす曲面状に形成されている。緩衝部材５５ｃは弾性体により形成されている。
【００４４】
緩衝部材５５ｃが軸部材５５ａに外嵌された状態において、緩衝部材５５ｃの内周面と、軸部材５５ａの外周面と、の間には隙間が形成されている。また、緩衝部材５５ｃが突出部材５５ｂ上に載置された状態において、緩衝部材５５ｃの下端部の内周面と、突出部材５５ｂの両端部と、の間には隙間が形成されている。
このため、緩衝部材５５ｃは、軸部材５５ａの中心軸線Ｏを回転中心として回転可能に支持されている。これにより、寝台装置１０を移動させた際に、緩衝装置５５が寝台装置１０の周囲にある部材と衝突すると、緩衝部材５５ｃが軸部材５５ａに対して中心軸線Ｏ回りに回転することで、外部からの衝撃力を効果的に受け流すことができる。
【００４５】
そしてこのように構成された緩衝装置５５の組立手順としては、まず、緩衝部材５５ｃ内に、その上端開口から軸部材５５ａの下端部を嵌合する。この際、緩衝部材５５ｃを、軸部材５５ａの下端部に形成された貫通孔よりも上方に位置させる。そして、突出部材５５ｂを前記貫通孔に径方向に挿入する。なお、以上の組立はメインフレーム３２を上下反転させた状態で行う。その後、メインフレーム３２を再び上下反転させることで、緩衝部材５５ｃを軸部材５５ａに対して下降させ、突出部材５５ｂ上に緩衝部材５５ｃを載置する。
【００４６】
また本実施形態では、図７に示すように、第２横部材３８は、寝台装置本体１７における前後方向の内側に向けて突出し、かつ第２縦部材３７に前後動自在に連結された左右一対の延長フレーム７１と、一対の延長フレーム７１同士の間に位置し、寝台装置本体１７における前後方向の内側に向けて突出する補助フレーム７２と、を備えている。
第２縦部材３７は、寝台装置１０の前後方向から見た平面視において、矩形枠状に形成されており、矩形枠を形成する４つの面のうちの２つの面が、上下方向を向き、かつ残り２つの面が、左右方向を向いている。第２縦部材３７には、第２縦部材３７及び延長フレーム７１の固定及びその解除を行うことができる固定手段７３が配設されている。
【００４７】
延長フレーム７１及び補助フレーム７２は、第２横部材３８の外表面のうち、前後方向の内側を向く内側面に溶接（固着）されている。延長フレーム７１は、第２縦部材３７の矩形枠内に嵌合されている。
延長フレーム７１は、寝台装置１０の前後方向に直交する断面視において、左右方向の外側に向けて開口するＣ字状を呈している。すなわち延長フレーム７１は、上下方向の延びる第１壁部と、第１壁部の上端部から左右方向の外側に延びる第２壁部と、第１壁部の下端部から左右方向の外側に延びる第３壁部と、により形成されている。第２壁部は上方を向いている。一対の延長フレーム７１の第２壁部それぞれの上下方向の位置は、互いに同等となっている。
【００４８】
補助フレーム７２は、寝台装置１０の前後方向から見た平面視において、下方に向けて開口する断面Ｃ字状をなしており、３つの面のうちの１つの面が、上下方向を向き、かつ残り２つの面が、左右方向を向いている。補助フレーム７２は、片持ちの状態で第２横部材３８の前記内側面に溶接（固着）されている。図示の例では、補助フレーム７２は、第２横部材３８の前記内側面のうち、一対の延長フレーム７１間の中央部に位置している。  補助フレーム７２は、延長フレーム７１よりも前後方向に短く形成され、左右方向に大きく形成されている。延長フレーム７１の第２壁部と、補助フレーム７２の外表面のうち、上方を向く上面と、は、上下方向の位置が互いに同等となっている。
【００４９】
そして、固定手段７３を操作することにより、第２縦部材３７及び延長フレーム７１を解除した後に、第２横部材３８を寝台装置本体１７の外側に向けて移動させることにより、図１２に示すように、第２縦部材３７と延長フレーム７１とが前後方向に連なられた状態で、メインフレーム３２の前後方向の長さが延長されることになる。
【００５０】
また本実施形態では、図９及び図１０に示すように、寝台装置本体１７には、上面視において寝台装置本体１７の外周縁部が延びる左右方向（周方向）に間隔をあけて配設された一対の取付け孔６０が形成されるとともに、ボード１４には、一対の取付け孔６０に各別に装着される一対の取付け突部６１が配設されている。
取付け孔６０は、寝台装置本体１７と、寝台装置本体１７に固定された板材８０と、の間に形成されている。
【００５１】
板材８０は、図１０に示すように、Ｕ字状に屈曲された状態で、寝台装置本体１７のうち、メインフレーム３２の第２横部材３８における前記内側面に固定されている。板材８０は、第２横部材３８と前後方向に対向するよう配置された対向壁８０ａと、対向壁８０ａの左右方向の両端部から、第２横部材３８に向けて延びる一対の連結壁８０ｂと、を備えている。対向壁８０ａは、左右方向に延びている。連結壁８０ｂは、対向壁８０ａと、第２横部材３８と、を連結している。
対向壁８０ａと第２横部材３８との離間距離を調節したり、対向壁８０ａの左右方向の大きさを変更したりすることで、取付け孔６０の形状や大きさを適宜変更することができる。
【００５２】
また、一対の取付け孔６０それぞれにおける左右方向の大きさは互いに異なっている。上面視において、取付け孔６０及び取付け突部６１は、互いに異形状となっている。
図７に示すように、取付け孔６０は、メインフレーム３２における第２横部材３８の前記内側面に、それぞれ一対ずつ配設されている。一対の取付け孔６０は、第２縦部材３７の左右方向の外側にそれぞれ配設され、上方を向いて開口している。
【００５３】
また、図１０に示すように、一対の取付け孔６０は、上面視において、角部を有する枠状をなしている。一対の取付け孔６０のうち、左右方向の一方側に位置する第１取付け孔６０ａの左右方向の寸法Ｗ１は、他方側に位置する第２取付け孔６０ｂの左右方向の寸法Ｗ２よりも小さくなっている。なお、第１取付け孔６０ａの左右方向の寸法が、第２取付け孔６０ｂの左右方向の寸法よりも大きくなっていてもよい。
【００５４】
図９に示すように、取付け突部６１はパイプ状をなし、ボード１４の下面に下方に向けて突出するように配設されている。取付け突部６１の直径は、第１取付け孔６０ａの左右方向の寸法Ｗ１と同等となっている。一対の取付け孔６０に、一対の取付け突部６１をそれぞれ嵌合して装着することにより、第２横部材３８にボード１４が取付けられる。なお、上記態様に限られず、壁状部材１８であるボード１４に一対の取付け孔６０が形成され、寝台装置本体１７である第２横部材３８に取付け突部６１が配設されていてもよい。
【００５５】
また本実施形態では、図１１に示すように、ボード１４の下端部には、寝台装置本体１７の外周縁部である第２横部材３８から上方に離間し、寝台装置本体１７の内側及び外側の両方向に開口する逃げ部１４ｃが形成され、寝台装置本体１７の第２横部材３８のうち、逃げ部１４ｃの直下に位置する部分（非接触部）３８ａの外周面は、全周にわたって他の部材と非接触となっている。図示の例では、逃げ部１４ｃはボード１４の下端面に形成されている。
【００５６】
逃げ部１４ｃは、ボード１４の下端部のうち、左右方向の両端部にそれぞれ形成され、左右方向の外側に向けて開口している。逃げ部１４ｃは、左右方向の外側に向かうに従い漸次、上方に向かう傾斜面を備えている。なお、逃げ部１４ｃは、ボード１４の下端部のうち、左右方向の一方側の端部にのみ形成されていてもよいし、左右方向の中央部に形成されていてもよい。
非接触部３８ａは、第２横部材３８の左右方向の両端部に形成され、オプション受け３９と左右方向に隣接している。
【００５７】
以上説明したように、本実施形態に係る寝台装置１０によれば、例えば寝台装置１０を移動させた際に、寝台装置本体１７の外周縁部に緩衝装置５５が設けられているので、寝台装置本体１７の外周縁部と、寝台装置１０の周囲にある部材と、が衝突することがあっても、発生する衝撃力を抑えることができる。
また、緩衝装置５５が、上下方向に延びる軸部材５５ａと、軸部材５５ａを径方向に突出する突出部材５５ｂと、軸部材５５ａに外嵌され、突出部材５５ｂ上に載置された緩衝部材５５ｃとを備えている。したがって、例えば緩衝部材５５ｃを、他の固定部材を用いて緩衝装置５５の本体に固定している構成と比べて、部品点数を少なくし、緩衝装置５５を簡易な構成とすることができ、寝台装置１０の製造コストを抑えることができる。
【００５８】
軸部材５５ａが、寝台用オプション１５を内部に挿入可能な筒状に形成されている。
したがって、緩衝装置５５が、オプション受け３９を兼ねることができる。また、突出部材５５ｂの一部が、寝台用オプション１５を支持可能であるので、緩衝装置５５をオプション受け３９と兼用しつつ、部品点数の増加を抑えることができる。
【００５９】
緩衝装置５５が、第２縦部材３７及び第２横部材３８のうち、少なくとも１つにおける端部に設けられている。
したがって、寝台装置本体１７の構造を簡素化し、寝台装置１０を軽量化することができる。
【００６０】
第２横部材３８が、寝台装置本体１７における前後方向の内側に向けて突出し、かつ第２縦部材３７に前後動自在に連結された左右一対の延長フレーム７１と、一対の延長フレーム７１同士の間に位置し、寝台装置本体１７における前後方向の内側に向けて突出する補助フレーム７２と、を備えている。
したがって、第２横部材３８を第２縦部材３７に対して、寝台装置本体１７における前後方向の外側に向けて移動させると、左右一対の延長フレーム７１と、一対の延長フレーム７１同士の間に位置する補助フレーム７２と、が、第２横部材３８から第２縦部材３７に向けて、前後方向の内側に向けて突出した状態となる。
【００６１】
これにより、寝台装置１０の使用者の身長に合わせて、寝台装置本体１７を前後方向に延長することができる。また、図１３に示すように、補助フレーム７２により、一対の延長フレーム７１上に敷かれた延長用マットレス８１の左右方向の中間部を補助的に支持することができる。これにより、簡易な構成により寝台装置１０を前後方向に延長することができる。
ここで、一対の延長フレーム７１の第２壁部と、補助フレーム７２の上面と、の上下方向の位置が互いに同等となっているので、一対の延長フレーム７１及び補助フレーム７２により、延長用マットレス８１が受ける荷重を、左右方向に均一に受けることができる。
【００６２】
寝台装置本体１７には、取付け孔６０が形成されるとともに、ボード１４には取付け孔６０に装着される取付け突部６１が形成され、取付け孔６０は、寝台装置本体１７と、寝台装置本体１７に固定された板材８０と、の間に形成されている。
したがって、単に板材８０の形状や大きさを変更することで、取付け孔６０の形状や大きさを変更することが可能になり、取付け孔６０を容易に加工することができる。これにより、寝台装置本体１７又は壁状部材１８の製造コストを抑えることができる。
【００６３】
寝台装置本体１７には、上面視において寝台装置本体１７の外周縁部が延びる左右方向に間隔をあけて配設された一対の取付け孔６０が形成されるとともに、ボード１４には、一対の取付け孔６０に各別に装着される一対の取付け突部６１が配設され、一対の取付け孔６０それぞれにおける左右方向の大きさが互いに異なっている。
したがって、寝台装置本体１７にボード１４を取付ける際に、取付け孔６０に取付けられ、ボード１４に配設される取付け突部６１の左右方向のピッチ寸法等の寸法誤差を、一対の取付け孔６０それぞれの左右方向の大きさの違いにより吸収することができる。これにより、容易に取付け突部６１を取付け孔６０に取付けることができる。
【００６４】
ボード１４の下端部には、寝台装置本体１７の外周縁部である第２横部材３８から上方に離間し、寝台装置本体１７の内側及び外側の両方向に開口する逃げ部１４ｃが形成され、寝台装置本体１７の第２横部材３８のうち、逃げ部１４ｃの直下に位置する部分の外周面が、全周にわたって他の部材と非接触となっている。
したがって、この非接触部３８ａに、例えば寝台装置１０とともに使用される電気機器の配線等のケーブルを巻きつけることで、第２横部材３８の外周部に前記ケーブルを収納することができる。これにより、寝台装置１０の使用時の見映えを良くすることができるとともに、前記ケーブルの収納部を別途設ける必要も無い。
【００６５】
なお、本発明の技術的範囲は前記実施形態に限定されるものではなく、本発明の趣旨を逸脱しない範囲において種々の変更を加えることが可能である。
【００６６】
例えば、上記実施形態においては、緩衝装置５５が、寝台用オプション１５のオプション受け３９を兼ねている構成を示したが、このような態様に限られない。緩衝装置５５は、オプション受け３９を兼ねていなくてもよい。
【００６７】
また、緩衝装置５５が、左右方向に間隔をあけて前後方向に延びる一対の第２縦部材３７同士を接続し、左右方向に延びる一対の第２横部材３８の左右方向の端部に設けられている構成を示したが、この様な態様に限られない。緩衝装置は、第２縦部材３７及び第２横部材３８のうち、少なくとも１つにおける端部に設けられていなくてもよい。
【００６８】
また、上記実施形態においては、第２横部材３８が、一対の延長フレーム７１と、一対の延長フレーム７１同士の間に位置する補助フレーム７２と、を備えている構成を示したが、このような構成に限られない。第２横部材は、一対の延長フレーム及び補助フレームを備えていなくてもよい。
【００６９】
また、上記実施形態においては、ボード１４と寝台装置本体１７とを取付ける取付け孔６０が、第２横部材３８と板材８０との間に形成されている構成を示したが、このような態様に限られない。取付け孔は、第２横部材の外表面のうち、上方を向く上面に形成されていてもよい。
【００７０】
また、上記実施形態においては、ボード１４と寝台装置本体１７とを取付ける一対の取付け孔６０が、寝台装置本体１７及びボード１４のうち、いずれか一方に左右方向に間隔をあけて配設されるとともに、互いに左右方向の寸法が異なっている構成を示したが、このような態様に限られない。取付け孔の左右方向の寸法は同じであってもよい。
【００７１】
また、上記実施形態においては、第２横部材３８のうち、ボード１４に形成された逃げ部１４ｃの下方に位置する部分の外周面が、全周にわたって他の部材と非接触となっている構成を示したが、このような態様に限られない。第２横部材に、全周にわたって他の部材と非接触となっている部分がなくてもよい。
【００７２】
また、寝台装置１０が、壁状部材１８として、柵体１３と、ボード１４と、を備えている構成を示したが、このような態様に限られない。寝台装置が、壁状部材として、柵体及びボードのうち、いずれか一方のみを備えていてもよいし、寝台装置が、壁状部材を備えていなくてもよい。
【００７３】
また、背ボトム２１及び脚ボトム２３の両方が回動する可動ボトムとされ、かつ、寝台１１を昇降、傾斜させる昇降機構３３を有する４ＡＣＴ（４モーター）のギャッチベッドを採用したが、本発明はこれに限られない。例えば、傾斜機構を有さない３ＡＣＴ（３モータ）、昇降機構を有さない２ＡＣＴ（２モータ）、背ボトム２１または脚ボトム２３の一方のみが回動する１ＡＣＴ（１モータ）のギャッチベッドを採用することも可能である。１ＡＣＴ（１モータ）のギャッチベッドの場合、寝台装置１０に、背ボトム２１を可動ボトムとした背上げ機能を優先して搭載することができる。つまり、本発明は、背ボトム２１及び脚ボトム２３のうちの少なくとも一方を可動ボトムとした構成を採用することが可能であり、背ボトム２１及び脚ボトム２３のうちの少なくとも背ボトム２１を可動ボトムとした構成を採用することができる。
さらに本発明は、電動式のギャッチベッドへの適用に限られない。本発明は、駆動機構１６の動力が人力である手動式のギャッチベッドにも適用することが可能である。
【００７４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７５】
１０   寝台装置
１４   ボード
１４ｃ 逃げ部
１７   寝台装置本体
１８   壁状部材
３７   第２縦部材（長手フレーム）
３８   第２横部材（短手フレーム）
５５   緩衝装置
５５ａ 軸部材
５５ｂ 突出部材
５５ｃ 緩衝部材
６０   取付け孔
６１   取付け突部
７１   延長フレーム
７２   補助フレーム
８０   板材
【図１】
2020022840.tif 000003
【図２】
2020022840.tif 000004
【図３】
2020022840.tif 000005
【図４】
2020022840.tif 000006
【図５】
2020022840.tif 000007
【図６】
2020022840.tif 000008
【図７】
2020022840.tif 000009
【図８】
2020022840.tif 000010
【図９】
2020022840.tif 000011
【図１０】
2020022840.tif 000012
【図１１】
2020022840.tif 000013
【図１２】
2020022840.tif 000014
【図１３】
2020022840.tif 000015